(57)【要約】【課題】情報技術を有しない一般人にも、選挙の正当性が実感できる電子投票システムを開発する。投票内容の事後確認、システムに起因する買収、水増し、改ざんに対処するよう計らう。【解決手段】電子キーの投票マシンへの挿入により、ネットワーク接続された集計マシンから重複のない投票者記号が送られる。投票マシンには、投票者記号と候補リストが表示されるので、一つを選択・送信する。次に、集計マシンはそれまでの保存内容を見て、投票者の選択した候補以外の各候補について対応する一投票者記号の対を、投票マシンに送信する。その後、投票マシンは、全候補に関しての、各候補と投票者記号の対の記録媒体を発行する。投票時間帯の後、各候補と全ての投票者記号を公開する。又、各候補に対する投票数とその合計値を表示する。一方、各投票所には所内投票数表示媒体を設置して投票数を常に表示する。公開時に各投票所での投票数とその合計値を表示する。【選択図】図１
2004178335.tif 000002
【特許請求の範囲】
【請求項１】
投票所において、投票者ごとに異なり投票者の個人的属性との対応がつかない投票者記号が投票行為の前に発行される電子投票において、候補リストを表示し、投票者が候補リストから１つまたは２つ以上の候補を選定することのできる投票マシンと、投票マシンが、該投票者の投票者記号と該投票者によって選定された候補と投票マシンに割り当てられた投票マシン記号とを、ネットワークを介して送信したものを受信して投票情報メモリ領域に格納し、前記格納の時点以前に投票情報メモリ領域に格納された投票者記号と該候補の対をネットワークを介して送信することのできる集計マシンと、投票マシンと１対１に対応し、しかも前記投票マシンの近くにあって、該投票者の投票者記号と該候補の対に前記集計マシンが送信した投票者記号と該候補の対を加えた情報が記録された記録媒体を発行することのできる記録媒体発行装置と、候補リストと各候補に投票した投票者の投票者記号とを表示することのできる投票内容表示媒体と、から成る電子投票システム。
【請求項２】
投票所の室内または前記室内の近くに設置され前記投票所における投票数を表示した所内投票数表示媒体と、投票所別の投票数と投票所別の投票数の合計値とを表示することができ、なおかつ、実際に投票を行った投票者の投票者記号の総数とダミー投票者記号の総数とを候補別に加算した候補別投票者記号数と前記候補別投票者記号数をすべての候補にわたって加算した合計値とを表示することができる投票数表示媒体と、を具備した請求項１の電子投票システム。
【請求項３】
公開投票情報の表示先が記録された記録媒体を発行することのできる記録媒体発行装置、を具備した請求項１または請求項２の電子投票システム。
【請求項４】
投票所において、投票者ごとに異なり投票者の個人的属性との対応がつかない投票者記号が投票行為の前に発行される電子投票において、候補リストを表示し、投票者が候補リストから１つまたは２つ以上の候補を選定することのできる投票マシンと、投票マシンが、該投票者の投票者記号と該投票者によって選定された候補と投票マシンに割り当てられた投票マシン記号とを、ネットワークを介して送信したものを受信して投票情報メモリ領域に格納することができ、投票情報メモリ領域に格納された投票者記号と該候補の対をネットワークを介して送信することのできる集計マシンと、投票マシンと１対１に対応し、しかも前記投票マシンの近くにあって、該投票者の投票者記号と該候補の対に前記の該投票者以外の投票者記号と該候補の対を加えた情報が記録された記録媒体を発行することのできる記録媒体発行装置と、候補リストと各候補に投票した投票者の投票者記号とを表示することのできる投票内容表示媒体と、から成る電子投票システム。
【請求項５】
投票所の室内または前記室内の近くに設置され前記投票所における投票数を表示した所内投票数表示媒体と、投票所別の投票数と投票所別の投票数の合計値とを表示することができ、なおかつ、実際に投票を行った投票者の投票者記号の総数とダミー投票者記号の総数とを候補別に加算した候補別投票者記号数と前記候補別投票者記号数をすべての候補にわたって加算した合計値とを表示することができる投票数表示媒体と、を具備した請求項４の電子投票システム。
【請求項６】
公開投票情報の表示先が記録された記録媒体を発行することのできる記録媒体発行装置、を具備した請求項４または請求項５の電子投票システム。
【発明の詳細な説明】
【０００１】
【発明の属する技術分野】
本発明は、投票所において投票を行う方式において、情報技術に疎い一般の人にも、投票の正当性を実感できるような電子投票システムに関する。
【従来の技術】
これまでの投票では、有権者の投票行為や票の集計は手作業が主であった。コンピュータの助けを借りるにしても、入力前まではある程度の手作業が必要であったため、集計漏れなど初歩的なミスが発生することもあった。コンピュータ入力の段階で不正が発生することもあった。また、投票者は、自分の投票内容が本当に集計に反映されているのかを知ることは困難であった。
一方、電子投票では、前記の初歩的なミスを防ぐことができ、また迅速な集計ができるという特長がある。そして、電子的手段を用いた投票方式が、主にセキュリティという観点から多数提案されている。選挙管理関係者による水増し票の対策を図るもの（たとえば、特許文献１参照。）、投票後に投票内容を記した受領を発行すれば内容の検証につながるものの買収の可能性があり、そこでレシートフリーに投票内容を検証するようにしたもの（たとえば、特許文献２参照。）がある。逆に、レシートを発行して投票内容の事後確認に備えるという提案もある（たとえば、特許文献３，４参照。）。暗号や乱数を用いた無記名投票についても多数提案されている（たとえば、特許文献１，５参照。）。また、本発明に直結する電子投票システムも提案されているが、投票内容の改ざんがあり得るという難点があった（たとえば、未公開特許出願１参照。）。
【０００２】
【特許文献１】
特開平５−３１４１５４号公開
【特許文献２】
特開平８−３１５０５３号公開
【特許文献３】
米国特許出願公開第２００２／００７７８８６Ａ１号明細書
【特許文献４】
欧州特許出願公開第０４１９３３５Ｂ１号明細書
【特許文献５】
特開平１−１７７１６４号公開
【未公開特許出願１】
特願２００２−６４５１２
【０００３】
【発明が解決しようとする課題】
従来の発明では、暗号、復号、自動シャッフリングなどの高度な情報技術を用いるものが多い。情報技術者であれば、その技術的正当性を理解できよう。しかし、情報技術者以外の人には前記正当性の理解は困難であるから、一般の人は、開発された情報技術の正当性を信用して、投票に臨むことになる。したがって、最悪の場合、大衆に支持されたように見せかけながら強権を振舞おうとする政治家があると、システム開発組織や開発者個人に不当な力が及ぶことがあり、重大な社会問題になる。
そこで、本発明では、投票所において投票者が意中の候補者を直接コンピュータ入力するという電子投票において、四則演算と日常的な論理が理解できる程度の一般の人でも、その正当性が実感できるようなシステムを提案し、前記問題を解決する。ここに、投票の正当性とは、以下の４つを指す。（投票対象が事柄であることもあるので、以後、候補者ではなく、単に候補と呼ぶことにする）
（１）投票者が、自分の投じた票が該候補の集計に反映されているのを確認できること
（２）システム上の水増しや改ざんが困難であること
（３）システムに起因して、買収に類する行為を引き起こさないこと
（４）システムに起因して、特定個人の投票内容が他人に漏れないこと
【０００４】
【課題を解決するための手段と発明の実施の形態】
上記の課題を解決するために、本発明では、下記の電子的手段と実施形態をとる。
基本的な構成は、つぎのようである。各投票所にはいくつかの投票マシンを設置し、それぞれの投票マシンに記録媒体発行装置を接続する。また、すべての投票所の投票マシンと情報交換可能な集計マシンを用意する。それとともに、Ｗｅｂ等の手段に従う公開マシンを用意し、集計マシンと情報交換可能にしておく。以下、多くの候補の中から１つだけ選ぶような投票を想定する。
【０００５】
［電子キー］  電子キーは投票マシンを稼動するためのものであり、投票所内のどの投票マシンを稼動することもできる。投票者自身が、電子キーのたくさん入った大きな壷の中から一つだけ取り出すようにしておけば、電子キーと投票者個人との対応がつかないことになる。
［投票マシン］  投票マシンに電子キーを挿入すると、投票マシンは、該投票マシンが稼動したという信号を集計マシンに送信する。その後に、前記投票マシンは、集計マシンが発行する投票者記号を受信する。投票マシンのディスプレー画面には、前記投票者記号、候補リストを表示する。また、該投票マシンによる投票数は、投票マシンのディスプレー画面に常に表示しておく。投票者が、候補リストから意中の候補を選択すると、投票マシンはその投票内容を集計マシンに送信する。
【０００６】
［集計マシン］  集計マシンは、一つの投票マシンが稼動したという情報を受け取ると、前記投票マシンに対して一つの投票者記号を送信する。投票者記号は、重複がないよう、発行する。したがって、投票者記号の総数は、基本的には、投票者の総数に一致する。また、複数個の投票者記号を比較して見たとき、いずれを先に発行したかが不明であるような発行の仕方を行う。
集計マシンの補助記憶装置には、投票情報を格納するための投票情報メモリ領域を用意する。投票情報は、投票者記号、投票内容（または選択した候補）、投票マシン記号および投票所名を１組とするものであり、投票情報メモリ領域は、投票情報が既に投票を済ませた人の分だけ時系列的に集められたものである。集計マシンには、投票情報が多くの投票マシンから時々刻々と送信されてくる。
集計マシンは、投票マシンから投票情報を受け取ると、投票情報メモリ領域を参照して、投票された候補以外のすべての候補に対応する投票者記号を、各候補につき一つだけ検索する。そして、候補と投票者記号の対を同じ投票マシンに送信する。投票マシンに送信するどの投票者記号も、すでに投票を行った実在の投票者のものである。投票の際には、投票者個人を特定する情報を入力しなければ、投票者記号と氏名等の個人的属性との対応がつかない。本発明では、投票者個人を特定する情報を入力しないので、特定個人の投票内容が他人にもコンピュータにも知られることがなく、したがって、前記の投票の正当性（４）が保障されることになる。
【０００７】
［記録媒体発行装置］  記録媒体発行装置は、投票マシンに接続されている。記録媒体発行装置は、該投票者の投票者記号と該候補の対に、集計マシンから送信された前記の該候補以外の投票者記号と該候補の対を加えて記録した記録媒体を発行する。投票者は、記録媒体を自宅に持ち帰ることができる。
記録媒体に記録された候補と投票者記号の対のうち、一つだけの対が、該投票者に対するものである。他の対は、基本的にはすべて他の投票者によるものである。記録媒体にはすべての候補に関して各候補と投票者記号の対が記録されているので、他人が記録媒体を調べても、本人がどの候補に投票したかを特定することができない。したがって、記録媒体を買収等の不正利用に使うことが困難になり、前記の投票の正当性（３）が保障される。記録媒体は、前記の対をレシートに印刷したものでよい。記録媒体には、投票者記号と該候補の対のほか、後述の公開投票情報の表示先も記録する。前記表示先とは、Ｗｅｂの場合は、いわゆるＵＲＬのことである。
なお、記録媒体発行装置は、投票マシンに直に接続されていなくても、集計マシンを介して間接的に投票マシンと情報交換が可能であってもよい。また、該投票マシンから集計マシンに送信された投票情報が投票情報メモリ領域に格納された後、集計マシンが、前記投票情報における投票者記号と該候補の対と前記該候補以外の各候補と該投票者記号の対とを、一括して該投票マシンに送信するか直接記録媒体発行装置に送信してもよい。
［投票所］  投票所では、どの投票マシンも、ディスプレー画面に、前記投票マシンによる投票数を表すソフトカウンタを常に表示しておく。投票所には、室内または前記室内の近くに投票数ディスプレー専用マシン（所内投票数表示媒体）を設けておき、各投票マシンの投票数とその合計値を表示しておく。前記合計値は、投票時間帯の終了後も、しばらくの間、誰でも鑑賞ができるようにしておく。以上の準備により、投票行為がないのに勝手に投票数のソフトカウンタを増加させるなどの、プログラムの不正操作がしにくくなる。
［公開マシン］  投票時間帯が終了したら、公開マシンは、集計マシンと情報交換を行い、各候補に対する投票者記号や統計量を公開投票情報として公開する。
【０００８】
以上の電子投票システムにおいて、公開する情報は、候補別の投票者記号、候補別投票者記号数、候補別投票者記号数の合計値、投票所別投票数、投票所別投票数の合計値である。すべての投票者に記録媒体を発行するので、どの投票者も公開マシンが準備した投票の情報を閲覧し、自分の投票した候補に対して自分の投票者記号が存在することを確認できる。したがって、前記投票の正当性の（１）が保障され、同じく（２）の改ざんも保障される。水増しに対する保障については、以下のように説明される。
以下、総和演算に関し、ｉ＝１Σｎ（ｉ）は１＋２＋・・・＋ｎを表すものとする。この場合、下限が１、上限がｎとなるが、特に混乱を生じないかぎり、上限や下限、また添え字は省略する。前記総和演算を、変数ｉに対する大文字を用いて、単にΣＩと表す。
【０００９】
投票所をＰ（ｐ＝１、・・・、ｐＥ）、投票所内の投票マシンをＭ（ｍ＝１、・・・、ｍＥ）、候補をＡ（ａ＝１，・・・，ａＥ）、とする。白票は、架空の１候補に対する投票行為と考えればよい。
候補別投票者記号数：ｎａ
候補別投票者記号数の合計値：ｎｓｕｍ，Ａ
投票マシン別投票数：ｎｍ
投票所別投票数：ｎｐ
投票所別投票数の合計値：ｎｓｕｍ，Ｐ
以上の変数には、つぎのような関係がある。
【数１】
ｎｓｕｍ，Ａ＝ΣＡ（ｎａ）
【数２】
ｎｐ＝ΣＭ（ｎｍ）
【数３】
ｎｓｕｍ，Ｐ＝ΣＰ（ｎｐ）
そして、ｎｓｕｍ，Ａとｎｓｕｍ，Ｐの間には、原則として次式が成り立つ。
【数４】
ｎｓｕｍ，Ａ＝ｎｓｕｍ，Ｐ
【００１０】
ここで、ｎｓｕｍ，Ｐについては、ｎｍやｎｐの値が投票所に常に表示されており、さらに、ｎｐは、公開投票情報が公開された後も、しばらくは表示されたままとなっているので、ｎｐやｎｓｕｍ，Ｐをプログラム的に改ざんすることは難しい。一方、ｎｓｕｍ，Ａは、プログラムの改ざんにより、集計マシン自身が未発行の投票者記号を組み入れて、いわば水増しを行うことが可能である。しかし、水増しを行うと、（数４）が成り立たなくなる。
以上のように、水増しが実質的に困難になるので、前記の投票の正当性（２）の‘水増し’が保障されることになる。
一方、投票行為が、投票所の開門直後であったとすると、投票した候補以外の候補に対する実投票者記号が存在しないことがある。そこで、各候補には、あらかじめ１つのダミー投票者記号を割り当てておく。その旨は、あらかじめ有権者に報知しておく。ただし、ダミー投票者記号そのものは、公開しない。したがって、候補数がａＥであることを考慮すれば、（数４）の代わりに（数５）が成り立つ。
【数５】
ｎｓｕｍ，Ａ＝ｎｓｕｍ，Ｐ＋ａＥ
【００１１】
以上は、候補リストの中から１個だけ選ぶような選挙を想定したが、ｂ個（１＜ｂ）を選ぶ場合でも、１人の投票者にｂ個の投票者記号を与えるように計らえば、上記とほぼ同様の論理が成り立つ。
その他、集計マシンは、すべての投票マシンを一元管理しても良いし、全国的な選挙のような場合は地域ごとに一元管理してもかまわない。
また、投票者記号は、有権者総数の分だけ昇順番号を発生したのちランダムに並べ替えておき、選挙日当日、片端から順次利用してゆくという方法でも良い。
【００１２】
【実施例】
投票者からみた実施形態を、実際の選挙の様子に合わせて、実施例としてまとめる。候補リストの中から１人だけ選ぶような選挙を想定する。以下、図１を用いる。
１）選挙管理事務所は、各有権者に、投票案内を郵送する。投票案内には、氏名、住所など、有権者固有の属性が記載されたものである。
２）有権者は、投票案内を持参の上、投票所に出向く。
３）選挙管理事務所の立会人１０３は、紙上で有権確認を行う。
４）投票者１０１は、投票案内と引き換えに、電子キー１０５を受け取る。
５）投票者１０１は、いくつかの投票マシンのうち、投票マシン記号［２０１２］の投票マシン１０８を選んだものとする。投票者１０１は、電子キー１０５を投票マシン１０８に接続された電子キー処理機１０６に挿入する。
６）電子キー１０５が挿入されたことを該投票マシン１０８が集計マシン１１０に通知すると、集計マシン１１０は一つの投票者記号を発行し、該投票マシン１０８に送信する。（投票者記号が１２３４５６７であったとする）
７）投票マシン１０８に付随したディスプレー画面１０９に、６）で得られた投票者記号と候補リストが表示される。なお、投票マシン１０８によるそれまでの投票数は、ソフトカウンタとして画面の一部に常に表示される。
８）投票者１０１は、候補リストの中から、一人を投票する。指定の仕方は、各候補に番号をつけておき意中の候補の番号を入力しても良いし、タッチパネル上に指で触れて意中の候補を指し示すという方法でも良い。
９）ディスプレー画面１０９に表示された入力終了ソフトボタンを押すと、投票マシン１０８は選択された一人の氏名だけをディスプレー画面１０９に表示する。該投票者の投票者記号は、ディスプレー画面に表示したままにしておく。投票者は、ディスプレー画面１０９の内容をもう一度確認したのち、ディスプレー画面１０９に表示された送信ソフトボタンを押す。（候補がＡ，Ｂ，Ｃ，Ｄの４つであったとして、該投票者が候補Ｂを選択したものとする）
１０）集計マシン１１０が９）の投票内容を受信する。集計マシン１１０は、投票者記号、投票された候補、投票マシン記号および投票所名を集計マシンの補助記憶媒体１１１の投票情報メモリ領域１１２に時系列的に追加・記録する。図１内に示す投票情報メモリ領域１１２では、受信時刻も記載されている。
１１）集計マシン１１０は、投票情報メモリ領域１１２を参照して、それまでに投票者記号１２３４５６７が選んだ候補以外の全候補について各候補を選んだ投票者記号の中からそれぞれ適当な一つを検索し、各候補と投票者記号を対にして前記投票マシン１０８に送信する。
１２）候補リストの各候補と前記候補に対する投票者記号の対を併記した記録媒体１０２が、投票マシン１０８に接続された記録媒体発行装置１０７から出力される。また、図１中に示した記録媒体には、公開投票情報のＵＲＬも記録されている。投票者は、記録媒体を調べて自分が投票した候補に対する投票者記号とディスプレー画面１０９に表示された投票者記号を照合して、これらが一致することを確認する。投票者１０１はその記録媒体１０２を持ち帰ることができる。
１３）ディスプレー画面１０９に表示された投票終了ソフトボタンを押すと、電子キー１０５が電子キー処理機１０６の中から排出される。それとともに、ディスプレー画面１０９に表示されている投票者記号と一候補名が消去される。投票者１０１は電子キー１０５を抜き、立会人１０３に渡して投票所を出る。
１４）投票の情報が公開マシン上のＷｅｂ等で公開されたら、投票者は、自宅等のパソコンを用いて前記記録媒体１０２に記録されたＵＲＬを用いて公開投票情報を閲覧し、記録媒体１０２を見て自分の投票者記号をコンピュータ入力する。Ｗｅｂ画面はその投票者記号あたりまで自動的にスクロールする。これにより、投票者は、自分の投票行為が集計に反映されていることを実感する。
１５）公開された投票所別投票数を確認したいと思う有権者は、所内投票数表示媒体が鑑賞可能な時間のうちに、該投票所に出向いて、所内投票数表示媒体を見ればよい。一方、自分の投票内容と公開投票情報が万一異なる場合は、選挙管理事務所に連絡する。
【００１３】
上記の９）で、一度送信ソフトボタンを押したら、二重投票ができないよう、電子キー１０５には「使用済み」と電子記録する。そして、１３）で立会人１０３が電子キー１０５を受け取ったら、立会人は、電子キー１０５を電子キーリセット機１０４に挿入して「使用済み」をリセットし、電子キー１０５を再使用可能にする。
上記の実施例では、４つの選択肢Ａ，Ｂ，Ｃ，Ｄ（Ｄは白票または無回答）のうち、投票者の意中の候補がＢであり、投票者記号が１２３４５６７であった。１０）の過程で、投票直後の集計マシン内の記録が、図１中の投票情報メモリ領域１１２に示されたようであったとする。このとき、候補Ａに対しては、その表の「候補」欄を下から上に時刻を遡って検索したときに最初に発見した候補Ａに対する投票者記号を選択すればよい。あるいは、該投票者記号の中からランダムに選択してもよい。ここで、前者の方法を採るものとすると、投票マシン２３２２から送信された情報が利用される。候補Ｃと候補Ｄについても、同様の方法をとる。結局、その投票者が手にすることのできる記録媒体には、１０２に示すような内容となる。
【００１４】
１２）に関し、投票者に対して記録媒体の発行の希望の有無を問わずに、すべての投票者に記録媒体を発行するほうが、システム的不正を完全に防ぐ意味で、無難である。
１５）に関し、万一、記録媒体に記録された自分の投票内容と公開投票情報とが食い違う場合は、選挙管理事務所に申し出ることはできる。そして、選挙管理事務所だけが集計マシンの補助記憶媒体を調査できるようにし投票時刻を調べれば、申し出の真偽はただちにわかる。しかし、記録媒体と投票者本人の対応は証明できないから、その場では真偽を告げないようにする。申し出を個別に受け付けるだけにしておき、そのような申し出が多数に及んだときに、コンピュータシステムを調査するという方法で申し出の情報を利用するのが望ましい。
【００１５】
図２は、投票所の投票数の表示媒体を示したものである。２０１は、投票所の室内である。２０２は投票マシンのディスプレー画面であり、画面の一部に、各投票マシンの投票数を表示している。２０３は、投票マシン別投票数と投票マシン別投票数の合計値を表示するための所内投票数表示媒体である。２０３には、３つの投票マシンの投票数とその合計値が表示されている。なお、所内投票数表示媒体のうちいくつかは、投票所の室外に置いてもよい。
図３は、投票時間帯終了後に公開された公開投票情報のＷｅｂ画面である。このＷｅｂ情報表示媒体は、主に、すべての候補および各候補に対応するすべての投票者記号を公開した投票内容表示媒体と、投票に係る統計量を表示した投票数表示媒体から成る。投票内容表示媒体に関し、図３では、候補Ａに対応する投票者記号として、２１３４６４７と２８２８７５６の２つが例示されている。投票数表示媒体に関しては、候補別投票者記号数およびその合計値を、また投票所別投票数およびその合計値を掲げている。たとえば、候補Ａの投票者記号数は２３２３３３４であり、「福岡大堀中」における投票数は４９３０である。
このＷｅｂには、各候補のダミー投票者記号数が１であることが明記されている。したがって、「投票所別投票数の合計値」である１７８３１１０７は、「候補別投票者記号数の合計値」である１７８３１１１１より、候補数すなわち４だけ少ない。
以上、本システムは、システム開発上の不正をけん制して設計したものであるが、一方、投票者の不正行為もあり得る。つまり、投票を正常に完了しておきながら、投票マシンの不調を訴えたり、電子キーがリセット未完状態であったのではないかなどとうそぶいて、新たな電子キーを要求し、二重投票を行うという悪事も考えられる。これに対処するため、選定した候補を集計マシンに送信するのと同時に、電子キーに詳細な送信時刻を記録する。一方、投票マシンには、該マシンを使って投票した、選定候補を除いたすべての内容の送受信記録を残しておく。これにより、電子キーに記録された送信時刻と、投票マシン側にある送信時刻の記録を比較すれば、電子投票が正常になされたか否かの判定がしやすい。
以上に述べた電子投票システムは、国民全体が参加するような大統領選挙、国会議員選挙のほか、県知事、州知事、県会議員、市長、市会議員、町長、町会議員、村長、村会議員、大学における学長の各選挙にも応用できる。また、候補の選挙だけでなく、国や地方自治体における何らかの意思決定のため、いくつかの選択肢の中から指定された数だけ選んで回答するような住民投票システムとしても適用できる。
【００１６】
【発明の効果】
以上の説明から明らかなように、本発明の電子投票システムによれば、投票所で自分の投票結果の記録媒体を出力して持参できる。どの投票者も、のちに公開投票情報と照合することにより、自分の投票内容が集計に寄与していることを確認することができる。しかも、記録媒体からは本人がどの選択肢に投票したかが第三者にわからないから、記録媒体が買収など不正に利用される可能性が少ない。また、各投票所の投票数をも、該投票所とＷｅｂの双方で公開することにより、架空の票を組み込むというシステム開発上の不正も困難である。この方法は、情報技術をもたない一般の人にも分りやすく、安心して利用可能という特長を持つので、実施して効果が大きい。
なお、本発明は、公的選挙にもかかわるので、その場合には法改正を伴う。法改正を伴う発明は、実施が容易とは言えず、有用性の点で特許性が低いという見方もある。しかし、進歩性と狭義の有用性の公的認知が法改正の原動力となるという現実を踏まえると、本発明は、変化を常としたグローバル化社会において特許性を有するものということができる。
【００１７】
【図面の簡単な説明】
【図１】本発明の電子投票システムを示したものである。
【図２】本発明の電子投票システムにおける投票所の室内を示したものである。
【図３】本発明の電子投票システムにおける投票内容表示媒体と投票数表示媒体を、一体として示したものである。
【符号の説明】
１０１：投票者
１０２：記録媒体またはレシート
１０３：立会人
１０４：電子キーリセット機
１０５：電子キー
１０６：電子キー処理機
１０７：記録媒体発行装置
１０８：投票マシン
１０９：ディスプレー画面
１１０：集計マシン
１１１：補助記憶媒体
１１２：投票情報メモリ領域
２０１：投票所の室内
２０２：投票数が一部に画面表示された投票マシン
２０３：所内投票数ディスプレー専用マシンまたは所内投票数表示媒体
２０４：入り口
【図１】
2004178335.tif 000003
【図２】
2004178335.tif 000004
【図３】
2004178335.tif 000005